(57)【要約】【課題】【解決手段】  搬送ベルト（１）を有し、搬送ベルトの下面には、複数のばね要素（４）が設けられている搬送装置が開示されている。１つまたは複数の牽引ロープ又は搬送ロープ（８）を、ばね要素によって弾性的に把持することができる。搬送区間を、複数のセクションに区分することができる。これらのセクションの各々は、搬送ベルトを駆動するための複数の固有のロープ（８）を有する。複数のセクションの間では、これらのばね要素は、広げによって、或るセクションのロープ（８）から解除され、次のセクションのロープの回りに据えられる。かくして、搬送ベルト（１）を、多種多様なセクションに亘っておよび多種多様な技術によって搬送することができる。搬送ベルト（１）の側縁には、側方に突出する複数の側壁（３１）が設けられている。これらの側壁は、搬送ベルトに対し非直角の角度にある。それ故に、搬送ベルトの転向の際に、これらの側壁（３１）は必要な動きを妨げない。【選択図】      図１６
2007536180.tif 000002
【特許請求の範囲】
【請求項１】
搬送区間に亘って荷物を運搬するための搬送装置であって、この搬送装置は、搬送ベルト（１）と、牽引力を前記搬送ベルト（１）に加える少なくとも１つのロープ状の牽引要素（８）とを有し、前記搬送ベルト（１）は、少なくとも、前記搬送区間の或る搬送セクションに沿って、前記牽引要素（８）に従い、前記搬送区間で、結合手段によって前記牽引要素と結合されていてなる搬送装置において、
前記結合手段は、力結合を生起するための前記牽引要素（８）を前記搬送セクションにおいて弾性的に把持する少なくとも１つのばね要素（４）を有することを特徴とする搬送装置。
【請求項２】
別個の複数の牽引要素（８）を有する複数の搬送セクションを具備し、これらの搬送セクションの間には、１つのばね要素（４）または複数のばね要素（４）を前記複数のセクションのうちの１のセクションの前記牽引要素（８）から解除し、次のセクションの牽引要素（８）に結合させるための手段（２０，２１）が設けられていること、および特に、種々のセクションの前記牽引要素（８）は、少なくとも部分的に、異なった横断面を有すること、を特徴とする請求項１に記載の搬送装置。
【請求項３】
前記牽引要素（８）は、複数の支持ローラの上面を走行すること、および特に、これらの支持ローラは支持体に設けられていることを特徴とする請求項１または２に記載の搬送装置。
【請求項４】
前記搬送ベルトの重量および場合によっては前記荷物の重量は、前記搬送セクションで、前記１つの牽引要素（８）または前記複数の牽引要素（８）によって吸収されることを特徴とする前記すべての請求項のいずれか１に記載の搬送装置。
【請求項５】
前記搬送ベルト（１）の重量は、この搬送ベルト（１）の下方に設けられた固定式の支持構造体（３５，３６）によって吸収されること、および特に、前記搬送ベルト（１）と前記支持構造体（３５，３６）との間の摩擦作用は、滑り剤、特に、空気またはグリースによって減じられ、および／または特に、前記支持構造体は、前記搬送ベルト（１）と結合されている複数の支持ローラ（３５）を有することを特徴とする前記すべての請求項のいずれか１に記載の搬送装置。
【請求項６】
前記支持構造体（３６）は、索道の少なくとも１つのキャリアロープ（３８）に設けられていることを特徴とする請求項５に記載の搬送装置。
【請求項７】
前記ばね要素（４）は、前記牽引要素（８）の１８０°以上の周囲を把持することを特徴とする前記すべての請求項のいずれか１に記載の搬送装置。
【請求項８】
前記ばね要素（４）は、前記牽引要素（８）の、把持される外形に対応する内形を有するグリッパ（６）を具備すること、および特に、前記ばね要素（４）の前記外形の面は、横方向または斜め方向に延びる複数の形成物または窪みを有し、前記グリッパ（６）の内形の面は、このグリッパが前記複数の形成物または窪みと形状結合を形成するような形成物を有することを特徴とする前記すべての請求項のいずれか１に記載の搬送装置。
【請求項９】
前記搬送セクションの少なくとも１つの終りまたは初めに、前記ばね要素（４）を広げるための広げ手段（２０，２１）を夫々具備すること、および特に、前記搬送装置は、前記牽引要素（８）を挿入または解除するために、前記広げ手段によって前記ばね要素（４）を広げるように、構成されていることを特徴とする前記すべての請求項のいずれか１に記載の搬送装置。
【請求項１０】
前記ばね要素（４）は、２つのフィンガ（６ａ，６ｂ）および弾性的なホルダ（５）を有し、これらフィンガ（６ａ，６ｂ）は、前記牽引要素（８）を把持し、これらフィンガ（６ａ，６ｂ）は、前記弾性的なホルダ（５）に保持されており、前記牽引要素（８）を解除するために前記ホルダ（５）の弾性変形のもとで互いに広げられることができることを特徴とする前記すべての請求項のいずれか１に記載の搬送装置。
【請求項１１】
前記広げ手段（２０，２１）は、前記フィンガ（６ａ，６ｂ）が互いに広げられるように、前記弾性的なホルダ（５）を変形するように構成されており、および特に、前記広げ手段（２０，２１）は、前記ホルダ（５）を水平方向に圧縮するように構成されていることを特徴とする請求項８または９に記載の搬送装置。
【請求項１２】
前記ホルダ（５）は、中央領域（１２）および複数の側方領域（１３ａ，１３ｂ）を有し、前記フィンガ（６ａ，６ｂ）は、これら側方領域（１３ａ，１３ｂ）の圧縮によって夫々広げられることができ、および特に、前記中央領域（１２）は前記側方領域（１３ａ，１３ｂ）の圧縮によって変形されることができることを特徴とする請求項９ないし１１のいずれか１に記載の搬送装置。
【請求項１３】
前記中央領域（１２）は、前記側方領域（１３ａ，１３ｂ）よりも低い剛性を有すること、および特に、前記中央領域（１２）は中空であり、あるいは、前記側方領域（１３ａ，１３ｂ）とは異なる材料からなることを特徴とする請求項１２に記載の搬送装置。
【請求項１４】
前記ホルダ（５）は、前記複数の側方領域（１３ａ，１３ｂ）の間に延びている第１のブリッジ（１４）を有すること、および特に、前記搬送ベルト（１）は、少なくとも部分的に、前記第１のブリッジ（１４）に載っていることを特徴とする請求項１２または１３に記載の搬送装置。
【請求項１５】
前記ホルダ（５）は、前記複数の側方領域（１３ａ，１３ｂ）の間に延びている第２のブリッジ（１５）を有すること、前記グリッパ（６）は、前記第１のブリッジよりも近くに前記第２のブリッジに設けられていること、および前記２つのブリッジと前記側方領域との間の領域（１２）は中空であり、あるいは、前記複数のブリッジ（１４、１５）および前記複数の側方領域（１３ａ，１３ｂ）より柔軟な材料からなること、および特に、前記広げ手段（２０，２１）は、この広げ手段が、前記複数の側方領域（１３ａ，１３ｂ）同士を押圧し、その際に、前記第１のブリッジ（１４）を前記第２のブリッジ（１５）よりも大きく変形し、その結果、前記グリッパ（６）が広げられるように、構成されていることを特徴とする請求項１４に記載の搬送装置。
【請求項１６】
前記広げ手段（２０，２１）は、この広げ手段が前記搬送ベルト（１）を前記牽引要素（８）に対し上昇しおよび／または前記牽引要素（８）を前記ホルダ（５）に対し降下し従ってまた前記第１のブリッジ（１４）の変形を生起すること、および特に、前記ホルダ（５）は、前記ホルダ（５）が前記広げ手段（２０，２１）によって前記牽引要素（８）に対し上昇されおよび／または前記牽引要素（８）が前記ホルダ（５）に対し降下された後にのみ、前記複数の側方領域（１３ａ，１３ｂ）の水平方向の圧縮によって、前記グリッパ（６）の開きが可能であるように、構成されていることを特徴とする請求項１５に記載の搬送装置。
【請求項１７】
前記両フィンガ（６ａ，６ｂ）は、前記搬送ベルト（１）の重力によって圧縮可能であること、および特に、前記搬送ベルト（１）は、前記ホルダ（５）に載っており、前記ホルダの垂直方向の圧縮は、前記フィンガ（６ａ，６ｂ）の圧縮をもたらすことおよび／または特に、前記ホルダがトグルジョイントロックを形成することを特徴とする請求項１０ないし１６のいずれか１に記載の搬送装置。
【請求項１８】
前記ホルダ（５）には、剛体（７）、特に、実質的に硬い形材が設けられていることを特徴とする請求項１０ないし１７のいずれか１に記載の搬送装置。
【請求項１９】
前記牽引要素（８）は、ロープであることを特徴とする前記すべての請求項のいずれか１に記載の搬送装置。
【請求項２０】
前記ばね要素（４）は、前記牽引要素（８）を、前記牽引要素（８）の直径よりも著しく大きい長さに亘って、把持すること、および特に、前記ばね要素（４）は、成形形材として、前記搬送ベルト（１）に沿って、前記搬送ベルト（１）の長手方向の少なくとも１つの部分に亘って設けられていることを特徴とする前記すべての請求項のいずれか１に記載の搬送装置。
【請求項２１】
前記搬送ベルト（１）は、荷物を保持するための保持面（２）を有すること、および前記ばね要素（４）は、前記搬送ベルト（１）の、前記保持面（２）と反対の面（３）に設けられていることを特徴とする前記すべての請求項のいずれか１に記載の搬送装置。
【請求項２２】
前記搬送ベルト（１）は、エンドレスであることを特徴とする前記すべての請求項のいずれか１に記載の搬送装置。
【請求項２３】
前記搬送ベルト（１）は、この搬送ベルトの個々のセクションから構成されていることを特徴とする請求項１ないし２０のいずれか１に記載の搬送装置。
【請求項２４】
前記搬送ベルト（１）に沿って、異なった横断面を有する複数の牽引要素（８）を保持するための複数の異なったばね要素（４）が並設されていることを特徴とする前記すべての請求項のいずれか１に記載の搬送装置。
【請求項２５】
特に、請求項１ないし２４のいずれか１に記載の、荷物を或る搬送区間に亘って運搬するための搬送装置であって、この搬送装置は搬送ベルト（１）および複数の囲い要素（３０）を有し、これらの囲い要素（３０）は前記搬送ベルト（１）に設けられており、前記搬送ベルト（１）のための複数の側壁（３２）を形成してなる搬送装置において、
前記側壁（３２）は、可撓性があり、前記搬送ベルト（１）に対し非直角の角度（α）にあることを特徴とする搬送装置。
【請求項２６】
前記複数の囲い要素（３０）は、前記搬送ベルト（１）の上面および下面（２，３）を、縁部から把持すること、および特に、これらの囲い要素（３０）は、前記搬送ベルト（１）の縁部を保持するスロットを有するベース（３１）を具備し、このベース（３１）には、各々の側壁（３２）が設けられていることを特徴とする請求項２５に記載の搬送装置。
【請求項２７】
前記複数の囲い要素（３０）は、取外し可能に前記搬送ベルト（１）に取着されていることを特徴とする請求項２５または２６に記載の搬送装置。
【請求項２８】
前記複数の囲い要素（３０）は、取外し不能に前記搬送ベルト（１）に固定されていることを特徴とする請求項２５または２６に記載の搬送装置。
【請求項２９】
前記複数の囲い要素（３０）は、実質的に一定な横断面を有する真っ直ぐな長手方向形材であることを特徴とする請求項２５ないし２８のいずれか１に記載の搬送装置。
【請求項３０】
前記搬送装置は、前記ベルトの長手方向軸に対し直角方向におよび前記搬送ベルトの上面（２）に対し平行に位置している曲げ軸を中心として前記搬送ベルトを曲げるように、構成されていることを特徴とする請求項２５ないし２９のいずれか１に記載の搬送装置。
【発明の詳細な説明】
【技術分野】
【０００１】
本願は、２００４年５月１０日に提出されたスイス特許出願第0815/04号の優先権を主張する。本明細書では、このスイス特許出願のすべての開示内容を、引用によって取り入れる。
【０００２】
本発明は、特に、複数の独立請求項の前提部分に記載の搬送ベルトを有し、荷物を運搬するための搬送装置に関する。この場合、「荷物」という概念は、広い意味に解釈されねばならず、特に、ばら荷、ばら売りの商品または人員を含む。
【背景技術】
【０００３】
このタイプの搬送装置は、例えば、EP 1 338 531、FR 2 560 168、DE 28 13 063、RO 101 572またはDE 1 247 202から公知である。これらの搬送装置は、例えば、搬送ベルトに形成された長手方向溝の形態の、ロープと結合されている結合手段を有する。DE 28 13 063では、ロープは、駆動モータに接続されている牽引要素として構成されている。
【０００４】
更に、搬送ベルトがローラ上で索道のキャリアロープによって牽引されてなる複数の装置も知られている。これらの装置は、広々とした土地にある索道の利点を利用することが可能となる。しかし、多数の統合された走行ローラを有する搬送ベルトのための大きな出費、ならびに電力、メンテナンス等への需要が欠点である。
【０００５】
特にばら荷の場合には、搬送ベルトに側壁を備えることが利点である。この目的のために、EP 1 338 531では、搬送ベルトの両側に、複数の垂直方向の壁が設けられている。しかし、搬送ベルトを転向ローラの回りに案内することができるように、これらの壁は、ふいごのように折り畳まれている。それ故に、壁を伸ばしまたは圧縮することができる。しかしながら、このような壁の製造は費用がかかる。
【発明の開示】
【発明が解決しようとする課題】
【０００６】
本発明の課題は、種々様々な地形で用いられる、用途が広いが安価な搬送システムを製造することにある。
【課題を解決するための手段】
【０００７】
上記課題は、複数の独立請求項に記載の装置によって果たされる。
【０００８】
本発明の第１の観点では、搬送ベルトは、ロープ状の各々の牽引要素を弾性的に把持する少なくとも１つのばね要素に結合されている。このことは高い牽引力の伝達を可能にする。搬送ベルトは、単なるキャリア要素として用いられることができるのであって、牽引要素として構成されていなくてもよい。従って、同じ搬送ベルトが、例えば、大きな高低差を解消するためにおよびまた平らな土地でも用いられる。土地の種々のセクションの間でのシステムの交換は省略することができる。
【０００９】
この場合、「ロープ状の」牽引要素は、ロープのように細長くてかつ可撓性があり、それ故に、例えば、複数の支持ローラを介して案内されかつ転向されることができる牽引要素を意味する。この牽引要素は、例えば、鋼線、鎖または形材ベルトであってもよい。
【００１０】
複数の搬送セクションが、別個のおよび場合によっては異なってさえいる牽引要素を有するとしても、特に、同じ搬送ベルトは、中断なしに、種々の搬送セクションに亘って案内されることが可能である。この目的のために、これらの搬送セクションの間には、複数のばね要素を或るセクションの牽引要素から解除し、次のセクションの牽引要素に結合させることができる手段が設けられていることは好ましい。
【００１１】
本発明の第２の観点では、搬送装置は複数の囲い要素を有し、これらの囲い要素は搬送ベルトに設けられており、搬送ベルトのための複数の側壁を形成する。これらの側壁は可撓性があり、搬送ベルトに対し非直角の角度にある。この簡単な構造は、側壁に損傷を与えることなく、搬送ベルトを複数の転向ローラの回りで案内することを可能にする。搬送ベルトと側壁との間の角度は、側壁の過度の圧縮又は延伸がなされないように、その時々に適合される。
【００１２】
このような囲い要素を、例えば、実質的に一定な横断面を有する真っ直ぐな長手方向形材として構成することができる。
【００１３】
本発明に係わる搬送装置を、例えば、ばら荷またはばら売りの商品を運搬するために、しかしまた人員の運搬のために用いることができる。
【００１４】
本発明の他の実施の形態、複数の利点および用途は、従属請求項からおよび複数の図面を用いての以下の記述から明らかである。
【発明を実施するための最良の形態】
【００１５】
図１および２には、装置の第１の実施の形態が示されている。この装置は上面２および下面３を有する搬送ベルト１を具備し、上面２は荷物または人員を保持するために設けられている。搬送ベルト１は、その側縁に沿って、夫々、ばね要素および結合手段に結合されている。各々のばね要素４は、以下ホルダ５ともいう上部と、２つのフィンガ６ａ，６ｂを有するグリッパ６を形成する下部とからなる。
【００１６】
図示した実施の形態では、搬送ベルト１およびばね要素４の構成部分は、丈夫な可撓性のあるプラスチック、例えば硬質ゴムの形材から一体的に形成されている。
【００１７】
各々のばね要素４のホルダ５には、比較的横方向に剛性の形材部分７が設けられている。この形材部分は、両側で、ホルダ５のアーム５ａ，５ｂによって把持される。
【００１８】
グリッパ６のフィンガ６ａ，６ｂは、ばねのような弾性力で、しかも、１８０°よりも大きい角度（図示した実施の形態では約２７０°）の円周に亘ってロープ８を把持する。それ故に、搬送ロープ８を、フィンガ６ａ，６ｂを広げることによってのみ、グリッパ６から取り出し、グリッパ６に挿入することができる。ロープ８が把持される限りでは、グリッパ６の内形は、実質的に、ロープ８の把持された外形に対応する。それ故に、良好な摩擦係合が保証されている。ロープ８の外面が、横方向または斜め方向に延びる形成物または窪みを有するとき、グリッパ６の内面も対応の形成物を有することが可能である。それ故に、グリッパは形成物または窪みと形状結合を形成し、形成物または窪みがない場合より更に大きな力を伝達することができる。
【００１９】
本発明のこの第１の実施の形態では、横方向に剛性の形材部分７がホルダ５のアーム５ａ，５ｂを押し離す。このことは、アーム５ａおよび５ｂと、各々のフィンガ６ａおよび６ｂとの間の結合の所定の剛性の故に、フィンガ６ａ，６ｂがロープ８の外側の方へ圧縮されることをもたらす。このことは、ばね要素４とロープ８の間の力結合を著しく改善する。
【００２０】
横方向に剛性の形材部分７によってアーム５ａ，５ｂへ加えられる拡張力を、圧縮力として、より良くフィンガ６ａ，６ｂに伝達するために、図３に示すように、ばね要素４も、比較的柔軟な芯１０を有することができる。芯は、この芯より硬い材料の外被１１によって被覆される。
【００２１】
ロープ８は牽引ロープとして作用する。すなわち、搬送ベルト１を搬送するための牽引力が、１つまたは複数のモータによって、まずロープ８に伝達されることが可能である。ロープ８は、牽引力を、ばね要素４を介して、搬送ベルト１に伝達する。
【００２２】
搬送ベルト１が索道に用いられるとき、ロープ８は、同時に、キャリアロープとしても従ってまた搬送ロープとしても作用する。すなわち、ロープは、索道の複数の支柱の間で、牽引力の他に、搬送ベルト１と、この搬送ベルトに載っている荷物との重力をも吸収する。しかしながら、牽引ロープとして作用するロープ８の他に、別個のキャリアロープが設けられていることも考えられる。後ほど、このことを、図１８を参照して説明する。
【００２３】
本発明の他の一群の実施の形態が、図４ないし１２に示されている。夫々には、搬送ベルト１の１つのみの縁部領域および複数のばね要素４のうちの１が示されている。
【００２４】
これらの実施の形態では、ばね要素４は搬送ベルト１の下面３にしっかりとまたは取外し可能に設けられており、搬送ベルトの重力を吸収する。但し、搬送ベルト１が、後述のように、他の方法で支持されない場合に限る。ばね要素４は、第１の実施の形態のように、長い成形形材としてデザインされている。この成形形材は、少なくとも、搬送ベルトの長さの一部分に亘って、搬送ベルト１の長手方向に対し平行に延びている。ばね要素４の長さは、ロープ８の直径よりも一層大きい。ロープ８と、ばね要素４との間の、面の大きな結合、および、力の、長さまたは面に対応して良好な伝達が保証されている。しかし、互いに間隔をあけて搬送ベルト１に沿って分配されている、ばね要素の複数の比較的短いセクションを用いることも考えられる。
【００２５】
明らかなように、ばね要素４は、その下面に、同様に、フィンガ６ａ，６ｂを有するグリッパ６を具備する。これらのフィンガによって、ロープ８を弾性的に把持することができる。ホルダ５は、同様に、フィンガ６ａ，６ｂをロープ８の方へ押圧するために用いられる。フィンガ６ａ，６ｂをロープ８から外すことが意図されるとき、ホルダ５を弾性的に変形させねばならない。
【００２６】
ホルダ５は側方領域１３ａと１３ｂとの間に中央領域１２を有する。更に、これらの側方領域の間には、第１のブリッジ１４および第２のブリッジ１５が延びている。それ故に、中央領域１２は、側方領域１３ａと１３ｂとの間で、第１のブリッジ１４の下方におよび第２のブリッジ１５の上方に位置している。搬送ベルト１の重量は、接続プレート１６を介して、ブリッジの中央に掛かっている。
【００２７】
中央領域１２は、側方領域１３ａ，１３ｂよりも低い剛性を有する。この目的のために、中央領域は、図４ないし６に示す実施の形態では、側方領域１３ａ，１３ｂよりも柔軟な他の材料からなり、実施の形態７ないし１２では中空に形成されている。
【００２８】
この実施の形態はグリッパ６の容易な開きを可能にする。このことは、図５，６，８，９、ならびに１１および１２夫々に示されている。これらの図は、広げ手段を示す。広げ手段は、ばね要素４のフィンガ６ａ，６ｂを広げるために用いられ、それ故に、ばね要素をロープ８から解除し、あるいはロープ９に取着することができる。このような広げ手段は、例えば、コンベヤセクションの終りに、設けられていてもよい。そこで、搬送ベルト１をロープから解除し、例えば、次のコンベヤセクションのロープに結合しなければならない。
【００２９】
広げ手段は、この広げ手段がホルダ５を変形して、フィンガ６ａ，６ｂが広げられるように、構成されている。この目的のために、図示の実施の形態では、搬送ベルト１は、まず、複数のリフトローラによって案内される。これらのリフトローラは、例えば、搬送ベルトがリフトローラ２０に沿って直線的に走行し、ロープが下方へ転向させられることによって、搬送ベルトを、ロープ８に対し上昇させる。このことによって、ブリッジ１４は上方へ曲げられ、側方領域１３ａ，１３ｂを中央へ引き寄せる。従って、第２のブリッジ１５は、同様に僅かに曲げられ、ジョイントとして作用する。このジョイントを中心として、側方領域１３ａはフィンガ６ａと共に、側方領域１３ｂはフィンガ６ｂと共に傾動する。それ故に、フィンガ６ａ，６ｂは押し広げられる。このことによって、フィンガ６ａ，６ｂの、ロープ８からの最初の解除、あるいは押圧力の少なくとも１つの最初の減少が生じる。
【００３０】
次のステップでは、ホルダは２つの押圧ローラ２１によって水平方向に圧縮される。このことによって、中央領域１２は更に変形され、既に上方へ予め曲げられた第１のブリッジ１４が、更に上方へ曲げられる。第２のブリッジ１５が第１のブリッジより太くかつ硬いので、このブリッジは、押圧ローラ２１によって圧縮されず、幾らか曲げられるだけである。このことによって、フィンガ６ａ，６ｂは、ロープ８がグリッパ６から除去されることができるほどに、広げられる。
【００３１】
新たなロープ８をグリッパ６へ挿入するために、図５および６に示すステップを、逆の順序で行なう。
【００３２】
図１０ないし１２に示す実施の形態は、図７ないし９に示す実施の形態とは、第１のブリッジ１４が、リフトローラ２０の作用なしに、中央領域１２へ前もって曲げられていて、トグルジョイントロックを形成する点で、異なっている。トグルジョイントロックは、搬送ベルト１のおよびこの搬送ベルトに載っている荷物の正確な重量に著しく無関係である締付力を発生させる。この実施の形態では、側方領域１３ａ，１３ｂの水平方向の圧縮は、第１のブリッジ１４が中央領域１２へ更に押し込まれ、第２のブリッジの方へ押しやられ、それ故に、フィンガ６ａ，６ｂが図１２に図示のように開かれないだろうことをもたらすだろう。搬送ベルト１がまず複数のリフトローラ２０によってロープ８に対し上昇され、あるいは、ロープ８が下げられるときにはじめて、第１のブリッジ１４が外側へ曲がり、押圧ローラ２１による後続の水平方向の圧縮は、グリッパ６が図１２に図示のように開くことをもたらす。
【００３３】
図４ないし１２に示すすべての実施の形態で、フィンガ６ａ，６ｂが、搬送ベルト１の重力によって、全体的にまたは部分的に圧縮されるのは、搬送ベルト１が第１のブリッジを押圧し、ブリッジを、上方へ逸れることを妨げることによってである。搬送ベルトの重量がホルダ５に掛かっており、ホルダ５の垂直方向の圧縮がフィンガ３ａ，３ｂの圧縮をもたらすので、かようにして、ロープ８の追加のロックを達成することができる。
【００３４】
本発明の他の観点は、搬送ベルトの側壁に関する。このような側壁の実施の形態は、図１３に開示されている。
【００３５】
見て取れるように、搬送ベルト１の縁部には、囲い要素３０が取着されている。この実施の形態では、囲い要素は、プラスチックの２つの形材要素である。各々の囲い要素３０はベース３１および側壁３２を有する。ベース３１は、例えば、搬送ベルト１の各々の縁部を保持するスロット３３を有する。側壁３２は外側へ突出する。側壁と搬送ベルトとの間の角度αは、囲い要素の弛緩した状態では、直角ではなく、例えば１０５°である。搬送される荷物に従って、大きいまたは小さい角度αも選択することができる。いずれにせよ、αは、９０°に余りに近くないほうがよいので、ベルトの長手方向軸に対し直角方向におよび上面２に対し平行に位置している曲げ軸を中心としたベルトの撓みまたは転向の際には、図１４に例示するように、側壁が、所定の方法で、外側へ（あるいは、αが＜９０°に対しては、場合よっては内側へ）傾く。
【００３６】
囲い要素３０は、搬送ベルト１に固設されているか取外し可能に設けられていることが可能である。固設の場合には、囲い要素３０は、搬送ベルト１と一体的に構成されていてもよい。
【００３７】
既述のように、搬送ベルト１は、索道の１本の搬送ロープまたは複数本の搬送ロープ上に設けられていてもよい。この場合、支持部材または支柱の高さは重要ではない。傾斜も容易に解消することができる。搬送ロープの寸法を、その時々の牽引力に適合させるだけでよい。この場合、搬送ロープは、知られた方法で、支持部材に固定されている複数の支持ローラを介して案内される。図１５および１６は２本の搬送ロープ８上の搬送ベルトの断面図を示す。
【００３８】
他方では、搬送ベルト１は、底部の近くでも、あるいは、支持構造体３６上に、コンベヤベルトとして案内されてもよい。後者は図１７に示されている。ここでは、ロープ８は搬送ロープとしてではなく、牽引ロープとしてのみ作用する。すなわち、このようなロープは実際の担持機能を有さず、僅かな担持機能のみを有する。むしろ、重量は、まず、固定式の支持構造体によって吸収される。
【００３９】
図１５は２つのばね要素４を有する実施の形態を示す。各々のばね要素は、支持ローラ３５を介して案内される搬送ロープ８を囲む。
【００４０】
図１６は他の実施の形態を示す。この実施の形態は、図１５に示す実施の形態とは、ここでは、複数の異なったばね要素４が搬送ベルト１に並設されている点で異なっている。これらのばね要素は、異なった大きさまたは異なった横断面を夫々有するロープを保持するために用いられる。図１６に示した実施の形態では、外側の、小さい方のばね要素４が比較的細いロープ８を保持する。このロープは、多くの支持ローラ３５を有する比較的平坦な区間では牽引ロープとして、あるいは索道の短いセクションでは搬送ロープとして用いられる。内側の、大きい方のばね要素４が、水平方向のまたは僅かな勾配の搬送セクションより急勾配の搬送セクションで、用いられる。そこでは、搬送区間は索道として形成されており、および／またはロープはより大きな引張り力を吸収しなければならない。
【００４１】
最後に、図１７では、ロープ８が、実質的に、実際の担持作用を有しない牽引ロープとして用いられてなる実施の形態が示される。この実施の形態では、支持構造体３６の複数の支持ローラ３５は、搬送ベルト１の下面２と直接に接触していて、搬送ベルトを支持する。
【００４２】
搬送ベルト１を他の方法で支持することも考えられる。かくて、支持構造体は、例えば、搬送ベルトを摺動面において支持するために、構成されていてもよい。搬送ベルトと支持構造体との間の摩擦作用を減じるために、滑り剤、特に、ガス状のまたは液状の滑り剤、例えば、空気またはグリースがある。
【００４３】
図１７に示す実施の形態では、支持構造体３６が底部に載っていることは好ましい。しかしながら、図１８に示されているように、支持構造体を、索道の１つのまたは複数のキャリアロープ３８に取着することも考えられる。
【００４４】
明細書の初めの部分に記載のように、ロープ８は、好ましくはワイヤロープの形態で、牽引ロープまたは搬送ロープであってもよい。しかし、用途および予期される力に従って、プラスチックロープ、長い、可撓性のある形材要素、または一連の多かれ少なかれ硬いリンクが用いられてもよい。
【００４５】
搬送ベルト１は、エンドレスベルトとして形成されているか、搬送ベルトの個々のセクションから構成されていてもよい。第２の場合では、搬送ベルトの複数のセクションが、互いに直接的に結合されているか、互いに別々であってもよい。搬送ベルトのセクションは、プレート状の平坦な要素としてデザインされていてもよい。これらの要素は、例えば人員用ころコンベヤにおいて用いられ、あるいは、例えばエスカレータの段の形態を有する。搬送ベルトの複数のセクションがプラスチックまたは金属、例えばアルミニウムからなることは好ましい。
【００４６】
搬送ベルトを戻すために、搬送ベルトを例えば１８０°転回することができる。戻りの最中に、搬送ベルトは、実際の上面１が下方にあるように、方向づけされていてもよい。この場合では、ばね要素４は応力を受ける。（しかし、このことは、必ずしも問題になるわけではない。何故ならば、搬送ベルトが、戻りの最中に、通常荷物を運搬する必要がないからである。それ故に、搬送ベルトの重量が僅かである）。あるいは、戻りの最中にその都度１つまたは複数のロープをベルトの下方で把持する追加のばね要素４が上面２に設けられていてもよい。あるいは、搬送ベルト１は、追加の支持ローラによって支持されねばならない。
【００４７】
しかし、戻りの最中でもばね要素４が下方に位置しているように、搬送ベルト１を転回することは好ましい。このことは、例えば、EP 1 338 531に記載の方法でなされることが可能である。搬送ベルトのための他の転回技術は、同様に、当業者に知られている。
【００４８】
図１５ないし１７では、搬送ベルト１を牽引および／または支持するために、その時々に２本のロープ８が使用された。しかし、実施の形態に応じて、只１本のロープ８を用いることができ、あるいは、２本以上のロープまたは他の牽引要素を用いることができる。
【００４９】
本願では、本発明の好ましい実施の形態が記載されているのであるが、本発明が実施の形態に限定されず、他の方法でも、上記請求項の範囲内で実施されることができることを明らかに指摘する。
【図面の簡単な説明】
【００５０】
【図１】本発明の第１の実施の形態の図を示す。
【図２】図１に示す実施の形態の断面図を示す。
【図３】搬送ベルトの縁部領域および第１の実施の形態の変更の実施の形態の結合手段の断面図を示す。
【図４】搬送ベルトの縁部領域および本発明の第２の実施の形態の結合手段の断面図を示す。
【図５】広げ手段のリフトローラの領域における、図４に示す断面図を示す。
【図６】広げ手段の押圧ローラの領域における、図４に示す断面図を示す。
【図７】搬送ベルトの縁部領域および本発明の第３の実施の形態の結合手段の断面図を示す。
【図８】広げ手段のリフトローラの領域における、図７に示す断面図を示す。
【図９】広げ手段の押圧ローラの領域における、図７に示す断面図を示す。
【図１０】搬送ベルトの縁部領域および本発明の第４の実施の形態の結合手段の断面図を示す。
【図１１】広げ手段のリフトローラの領域における、図１０に示す断面図を示す。
【図１２】広げ手段の押圧ローラの領域における、図１０に示す断面図を示す。
【図１３】搬送ベルトの縁部領域および側壁の断面図を示す。
【図１４】搬送ベルトが曲がった状態にある、図１３に示す断面図を示す。
【図１５】２つの支持ローラに載った搬送ベルトの断面図を示す。
【図１６】２つの支持ローラに載った搬送ベルトの他の実施の形態の断面図を示す。
【図１７】２つの支持ローラに載った搬送装置の他の実施の形態の断面図を示す。
【図１８】索道のキャリアロープに設けられている支持構造体を有する搬送装置の更に他の実施の形態の断面図を示す。
【図１】
2007536180.tif 000003
【図２】
2007536180.tif 000004
【図３】
2007536180.tif 000005
【図４】
2007536180.tif 000006
【図５】
2007536180.tif 000007
【図６】
2007536180.tif 000008
【図７】
2007536180.tif 000009
【図８】
2007536180.tif 000010
【図９】
2007536180.tif 000011
【図１０】
2007536180.tif 000012
【図１１】
2007536180.tif 000013
【図１２】
2007536180.tif 000014
【図１３】
2007536180.tif 000015
【図１４】
2007536180.tif 000016
【図１５】
2007536180.tif 000017
【図１６】
2007536180.tif 000018
【図１７】
2007536180.tif 000019
【図１８】
2007536180.tif 000020
【国際調査報告】
2007536180.tif 000021
2007536180.tif 000022
2007536180.tif 000023
2007536180.tif 000024
2007536180.tif 000025
2007536180.tif 000026
2007536180.tif 000027
2007536180.tif 000028
2007536180.tif 000029
2007536180.tif 000030
2007536180.tif 000031